(57)【要約】【課題】インターネットを介して消費者が商品のオリジナルデザインを制作し、消費者自身の嗜好やニーズを的確に反映したオーダーメイド商品の受発注を可能にする。【解決手段】消費者が任意のデザイン部品を選択するだけではなく、ドラッグアンドドロップで任意の位置に自由に配置することにより、デザイン制作した商品を発注する。受注者が発注データを再現の上、消費者の希望するデザインに基づいた商品を製作し、納品することにより解決する。【選択図】  図1
2009187160.tif 000002
【特許請求の範囲】
【請求項１】
デザイン部品表示処理と商品デザイン制作受発注処理を実行するデザイン制作および商品受発注処理装置であり、
デザイン部品や消費者の制作する商品デザインおよび受注者が再現する受注デザインの表示を行う表示部と、
前記表示部に対するデザイン部品表示制御および、消費者のデザイン部品選択配置に基づくデータ処理を実行するデータ処理部と、
前記表示部に対するデザイン部品データおよび、消費者のデザイン部品選択配置に基づく発注データを格納するデータ記憶部を有し、
前記処理部は、
前記記憶部に格納されたデザイン部品データに対応するデザイン部品の選択配置可能一覧画面を前記表示部に表示し、
消費者によって任意のデザイン部品が選択され、ドラッグアンドドロップ操作で任意の位置に配置され、デザイン制作された商品発注に基づいて各デザイン部品の属性情報および履歴を記憶部へ格納し、
前記記憶部に格納された発注デザインのデザイン部品属性情報に対応する受注商品閲覧画面を前記表示部に表示し、
受注者によって受注内容が消費者の制作発注デザインとして再現され、受注商品の製作への着手を実現することを特徴とする情報処理装置。
【発明の詳細な説明】
【技術分野】
【０００１】
本発明は、消費者が商品のオリジナルデザインを制作し、インターネットを介してオーダーメイド発注するためのシステムに関するものである。
【背景技術】
【０００２】
従来のインターネットを介する注文は、消費者がある商品のデザインを気に入った場合に、その商品を選択し、注文に至る。さらに、オーダーメイド注文の場合でも消費者がオーダーした商品を購入するかどうかを判別し選択することとなる。(例えば、特許文献1参照)
【０００３】
他にも、オーダーメイドしたい商品の画像を別途作成し、送信する必要がある場合や(例えば、特許文献2参照)、あるいは対話方式で部品の選択ができたとしても、その配置場所までは詳細に指定できない場合もある。(例えば、特許文献3参照)また、ドローソフトなどソフトをダウンロードして制作注文しなければいけない場合もある。(例えば、特許文献4参照)
【特許文献１】特許公開２００５−３３２１７２号  公報
【特許文献２】特許公開２００３−２９５９３５号  公報
【特許文献３】特許公開２００３−２４２１９５号  公報
【特許文献４】特許公開２００４−２５９１１１号  公報
【発明の開示】
【発明が解決しようとする課題】
【０００４】
上述のように、消費者が購入するか否かについて選択をする限り、デザイン部品が異なる場所に配置されていれば購入したいのに、配置場所が希望に合わないという理由で、校正または製作し直しや、消費者が注文を踏み止まり商機を逃すケースが発生する。
【０００５】
よって、発注サイトの画面上で消費者が容易に商品をデザイン制作できることが望まれる。本発明は、消費者が任意のデザイン部品を選択するだけではなく、加えて、任意の位置にデザイン部品を直感的な操作であるドラッグアンドドロップすることによって自由に配置することが可能である。消費者自身の嗜好やニーズを的確に反映した商品を消費者自ら制作しオーダーメイド発注でき、さらに受注者が消費者の制作した商品デザインを受注の画面上で受注内容を再現し、製作に着手できるようにすることで解決する。
【課題を解決するための手段】
【０００６】
本発明システムは、
デザイン部品表示処理と商品デザイン制作受発注処理を実行するデザイン制作および商品受発注処理装置であり、
デザイン部品や消費者の制作する商品デザインおよび受注者が再現する受注デザインの表示を行う表示部と、
前記表示部に対するデザイン部品表示制御および、消費者のデザイン部品選択配置に基づくデータ処理を実行するデータ処理部と、
前記表示部に対するデザイン部品データおよび、消費者のデザイン部品選択配置に基づく発注データを格納するデータ記憶部を有し、
前記処理部は、
前記記憶部に格納されたデザイン部品データに対応するデザイン部品の選択配置可能一覧画面を前記表示部に表示し、
消費者によって任意のデザイン部品が選択され、ドラッグアンドドロップ操作で任意の位置に配置され、デザイン制作された商品発注に基づいて各デザイン部品の属性情報および履歴を記憶部へ格納し、
前記記憶部に格納された発注デザインのデザイン部品属性情報に対応する受注商品閲覧画面を前記表示部に表示し、
受注者によって受注内容が消費者の制作発注デザインとして再現され、受注商品の製作への着手を実現することを特徴とする情報処理装置である。
【０００７】
図1は、本発明システムの一実施例としての発注画面である。
消費者は発注画面上でデザイン部品をドラッグアンドドロップして商品のデザイン制作と発注を行う。デザイン部品を一箇所に纏めたものが選択配置可能一覧である。
【０００８】
まず、表示部の発注画面生成方法について記載する。
前記デザイン部品の選択配置可能一覧を表示するにあたって、デザイン部品の元となる画像データを用意する。画像データをGIF形式に変換して透過し、デザイン部品として不必要な部分はデータ消去する。この処理を施すことにより、デザイン部品のドラッグアンドドロップ先で別のデザイン部品と配置場所が重なっても、重なりから生じる違和感を意識することなく表示できる。GIF形式に変換した各デザイン部品をインスタンス化してプログラムを記述し、ドラッグアンドドロップできるようにする。デザイン部品を選択配置可能一覧に配置する。選択配置可能一覧は配列を利用して表示することも可能なので、消費者の検索条件に基づく検索結果を反映してデザイン部品の選択配置可能一覧を表示する場合は、各デザイン部品を分類して記憶部であるデータベースに格納しておき、検索結果データを配列で渡すと実現できる。なお、各デザイン部品に階層指定ができるようプログラミングしておくと重なり順を変えることができ、消費者が制作する商品のデザインに深さを出すことができる。
【０００９】
前記発注画面が生成され、選択配置可能一覧が表示されると、消費者は希望する商品のデザイン構想に基づき、選択配置可能一覧から任意のデザイン部品を任意の位置へドラッグアンドドロップできる。このデザイン部品の選択および配置作業を繰り返し、消費者はオリジナル商品を制作できる。注文ボタンを押下すると、制作が完成したオリジナルデザイン商品がインターネットを介してオーダーメイド発注することを実現できる。
【００１０】
次に、前記処理部で実行するデータ処理として、
前記発注画面上で消費者が各デザイン部品をドラッグアンドドロップする度に、各デザイン部品の名前や、X座標とY座標などの属性情報を取得し、履歴データを更新する。注文ボタンの押下時に発注データおよび履歴データを記憶部であるデータベースに格納する。
【００１１】
続いて、表示部の受注画面生成方法について記載する。
前記記憶部に格納された発注データを取得し、デザイン部品の名前と属性情報に基づいて、受注内容を画面に表示する。
【００１２】
前記受注画面が生成されることにより、受注者が消費者の制作発注デザインの再現を的確に把握でき、早急に製作に取り掛かることができる。必要に応じて、オーダーされたデータを縦横の比率を固定したまま対象商品の実寸大へと拡大あるいは縮小処理するなどの加工をする。また、場合によっては受注者から消費者へ商品デザインに関するアドバイスや修正などの提案や見積りおよび納期などの連絡をする。
【００１３】
また、受注者は本発明を使用することにより、受注のみならず、各デザイン部品の利用履歴を活用して、消費者の関心事項をマーケティングすることもできる。
【００１４】
さらに、システム更新時に、消費者自身の写真・イラスト画像データをデザイン部品の選択配置可能一覧に加えることも可能である。例えば、ログイン認証を通過した消費者本人のみが該当デザイン部品を閲覧および選択、配置できるサービスの実施へと展開できる。
【００１５】
さらに、システム作成時に、ひとつのデザイン部品をドラッグアンドドロップで一度使用した後も、同一部品を複数回使用できるように設定することも可能である。
【００１６】
同じくシステム作成時に、ドラッグアンドドロップできるデザイン部品種類の上限数を予め設定しておくこともできる。
【００１７】
同じくシステム作成時に、ドラッグアンドドロップ操作が可能な範囲を指定することも可能である。
【００１８】
同じくシステム作成時に、本発明を実施する内容に応じ、対象となるオブジェクトをマスキングして可視・非可視と切り替え表示することも可能である。
【００１９】
同じくシステム作成時に、印刷機能、見積り機能や納期予定の連絡機能、また、顧客管理や売上管理、工程管理など管理者機能を本発明システムに機能追加することもできる。
【発明の効果】
【００２０】
本発明は、世界に唯一のオリジナル商品を制作してインターネットを介して受発注することを実現するシステムである。
デザイン部品は選択配置可能一覧から選ぶだけでなく、単一ウインドウの中で自由に移動できる。そのため、デザイン部品をいくつでも並べて比較することが容易にできる。
したがって、デザイン部品からこだわって選び、こだわりの位置に配置できるので、消費者自身の嗜好やニーズを的確に反映した商品を消費者自らデザイン制作しオーダーメイド発注することができる。満足度とオリジナリティの高い商品を消費者自ら創りだして注文することが可能である。
【００２１】
消費者に有利な効果は次の通りである。
消費者は特殊なソフトを必要としない。プラグインやソフトをダウンロードしなくても、ブラウザで標準表示が可能なシステムである。ドラッグアンドドロップするだけの直感的な操作なので、パソコンに不慣れな人にも簡易である。また、消費者自らデザインするため、実商品のイメージを捉えやすい。消費者は店舗に出向く必要がなく、都合の良い日時に遠方からでも発注できる。従来と比較して、オリジナルのオーダーメイドを安価かつ手軽に実現できる。さらに、製作工程数の削減から納期短縮が可能となり、短時間で商品を受領できるなど、消費者の創作意欲、および、購買意欲を高める効果が大きい。消費者のオリジナリティが反映された新しい商品が次々と生まれる。
【００２２】
受注者に有利な効果は次の通りである。
受注者は、メーカー直販を実現できるため、安価に販売できる。消費者の指定したデザインを的確に再現できるため、要望のヒアリングやデザイン校正のすり合せなど確認に要する余分な時間やコストも省くことができる。解釈の行き違いなどによる校正や製作のし直しも防ぐことができる。製作着手を容易、確実かつ迅速に行えるので、納期を早めることができる。コスト、納期、デザイン面での顧客満足度を高める効果が期待できる。本発明システムを使用することにより、在庫を抱えるリスクを軽減できる。さらに、消費者の同意を得ることができれば、受注したデザインを基に、新商品として販売することも可能である。受注者は新商品開発コストを抑えつつ、新しい商機に恵まれる可能性がある。
【発明を実施するための最良の形態】
【００２３】
具体的に実施するための技術説明を記載する。
デザイン部品に使用したい画像ファイルを透過データに変換し、不要な箇所は消去する。各部品をオブジェクトのインスタンスとしてドラッグアンドドロップができるようプログラムを記述しておく。デザイン部品同士の重なりを判定する必要がある場合は、階層深度を指定しておく。デザイン部品を選択配置可能一覧に配置する。消費者の条件検索結果を反映させる場合は、各デザイン部品のプロパティを分類の上、データベースに格納しておき、検索結果を配列で渡し、該当するデザイン部品を選択配置可能一覧に表示させる。消費者がドラッグアンドドロップする度に、デザイン部品の名前とともに移動履歴として属性情報を配列にまとめる。デザインを確定後、デザイン部品それぞれの名前と属性情報をまとめた発注データを送信し、データベースに格納する。場合によっては、階層深度も配列に加え、データベースに格納する。受注者はデータベースの発注データを基に、消費者が選択の上、配置したデザイン部品をそれぞれの位置に再現する。場合によっては、消費者にアドバイスや修正、見積りや納期の連絡を取る。最終的に商品デザインが確定されたら、製作に取り掛かる。
【実施例１】
【００２４】
洋服・和服、服飾小物などアパレル関連業界に活用する。
例えば、タオルやスカーフ、風呂敷、和装の帯のオリジナルデザインなど。
【実施例２】
【００２５】
生活雑貨や絵画などの美術品のオーダーメイドに活用する。
例えば、傘や食器の絵付け、タペストリーやふすまなどのインテリアをトータルデザインできるサービスなど。
【実施例３】
【００２６】
繰り返し柄のデザインをオーダーするサービスを立ち上げる。
例えば、車の内装シートカバー、カーペットやカーテン、屋内壁紙など、一定のパターンで繰り返すデザインの商品に使用する。
【実施例４】
【００２７】
レストランやコンベンションなどの人員配置や備品類の指定に活用する。
例えば、宴会や大型会議、冠婚葬祭における必要人員の手配や備品類を位置指定とともに発注する。
【実施例５】
【００２８】
ピザのトッピングやケーキなどのデコレーションに活用する。
例えば、選挙当選パーティー用のピザ注文の場合、具材でダルマを描くなど。
【産業上の利用可能性】
【００２９】
本発明はオーダーメイドを受注できる業態であれば幅広く応用が可能である。
【図面の簡単な説明】
【００３０】
【図１】オーダーメイドデザインの制作発注画面を示す図(実施例５)
【符号の説明】
【００３１】
1  選択配置可能一覧
2  デザイン部品
3  発注ボタン
【図１】
2009187160.tif 000003